(57)【要約】【課題】  シートに接触する外周面が導電材料に構成された紙粉取りローラを備えるシート搬送装置等において、紙粉取り能力が低下することを抑制しつつ、紙粉取りローラからの放電を抑制する。【解決手段】  紙粉取りローラ２５を接地側に電気的に接続する除電状態と紙粉取りローラ２５を接地側に電気的に接続しない帯電状態とを切り替える切替部を設ける。これにより、紙粉取りローラ２５に必要以上の電荷が帯電してしまうことを抑制でき得る。したがって、紙粉取り能力が低下することを抑制しつつ、紙粉取りローラ２５からの放電を抑制でき得る。【選択図】図２
2015044640.tif 000002
【特許請求の範囲】
【請求項１】
シートに接触しながら回転して当該シートを搬送するとともに、シートに接触する外周面が導電材料にて構成され、かつ、シートに付着した紙粉を静電気による引力により吸着する紙粉取りローラと、
前記紙粉取りローラと滑り接触して前記紙粉取りローラを摩擦帯電させる帯電部と、
前記紙粉取りローラを接地側に電気的に接続する除電状態と前記紙粉取りローラを接地側に電気的に接続しない帯電状態とを切り替える切替部と
を備えることを特徴とするシート搬送装置。
【請求項２】
前記切替部は、前記紙粉取りローラとシートとが接触し、かつ、前記紙粉取りローラが回転している場合に前記帯電状態とすることを特徴とする請求項１に記載のシート搬送装置。
【請求項３】
前記切替部は、前記紙粉取りローラの回転が停止している場合に前記除電状態とすることを特徴とする請求項１又は２に記載のシート搬送装置。
【請求項４】
前記切替部は、
接地側及び前記紙粉取りローラのうちいずれか一方に電気的に接続された固定接点、
他方に電気的に接続されて前記固定接点に対して離接変位する可動接点、並びに
前記可動接点を変位させる変位機構
を有することを特徴とする請求項１ないし３のいずれか１項に記載のシート搬送装置。
【請求項５】
前記変位機構は、前記紙粉取りローラの回転に伴って発生する力を受けて前記可動接点を変位させるアクチュエータを有していることを特徴とする請求項４に記載のシート搬送装置。
【請求項６】
前記アクチュエータは、
前記可動接点が設けられ、前記紙粉取りローラの軸中心線周りに回転可能な可動部材、
前記紙粉取りローラに滑り接触するとともに、当該滑り接触時に発生する摩擦力により、前記可動接点を前記固定接点から離間させる向きに前記可動部材を変位させる接触部、及び
前記可動接点と前記固定接点とが接触する向きに前記可動部材を変位させる第１バネ
を有することを特徴とする請求項５に記載のシート搬送装置。
【請求項７】
前記アクチュエータは、前記紙粉取りローラの軸線方向端面に前記接触部を押し付ける第２バネを有することを特徴とする請求項６に記載のシート搬送装置。
【請求項８】
前記第１バネはねじりコイルバネであり、
前記第２バネはコイルバネであり、
前記第１バネと前記第２バネとは一体化されていることを特徴とする請求項７に記載のシート搬送装置。
【請求項９】
前記紙粉取りローラと対向する位置に配設され、搬送されるシートを前記紙粉取りローラと共に挟持しながら回転するレジローラを備え、
前記紙粉取りローラ及び前記レジローラは、回転を停止して搬送されてきたシートの搬送を一時停止させた後、回転を開始してシートを搬送するレジストレーション機能を有することを特徴とする請求項１ないし８のいずれか１項に記載のシート搬送装置。
【請求項１０】
請求項１ないし９のいずれか１項に記載のシート搬送装置と、
前記シート搬送装置によって搬送されたシートに画像を形成する画像形成部と
を備えることを特徴とする画像形成装置。
【発明の詳細な説明】
【技術分野】
【０００１】
本発明は、シートを搬送するシート搬送装置、及び当該シート搬送装置を備える画像形成装置に関する。
【背景技術】
【０００２】
例えば、特許文献１に記載の発明では、紙粉取りローラに帯電部を滑り接触させて紙粉取りローラを摩擦帯電させることにより、静電吸引力を紙粉取りローラに発生させている。
【０００３】
紙粉取りローラは、シートに接触しながら回転して当該シートを搬送しながら静電吸引力によりシートから紙粉を除去する。なお、紙粉とは、文字通りの紙粉は勿論のこと、シートに付着した粉体状の異物を意味する。
【先行技術文献】
【特許文献】
【０００４】
【特許文献１】特開平４−１２９９４０号公報
【発明の概要】
【発明が解決しようとする課題】
【０００５】
現状の紙粉取りローラは、シートに接触する外周面がフッ素等の絶縁材料にて構成されている。これに対して、シートに接触する外周面が導電材料に構成された場合には、紙粉取りローラに帯電している電荷が容易に移動できるため、静電サージ（以下、放電ともいう。）が発生する可能性がある。放電が発生すると、電子部品の破損やシートの印字不良が発生する可能性がある。
【０００６】
上記の放電を抑制すべく、紙粉取りローラの帯電量を低下させると、紙粉を静電吸引できなくなり、紙粉取り能力が低下してしまう可能性がある。
本発明は、上記点に鑑み、シートに接触する外周面が導電材料に構成された紙粉取りローラを備えるシート搬送装置等において、紙粉取り能力が低下することを抑制しつつ、紙粉取りローラからの放電を抑制することを目的とする。
【課題を解決するための手段】
【０００７】
本発明は、上記目的を達成するために、シートに接触しながら回転して当該シートを搬送するとともに、シートに接触する外周面が導電材料にて構成され、かつ、シートに付着した紙粉を静電気による引力により吸着する紙粉取りローラ（２５）と、紙粉取りローラ（２５）に滑り接触して紙粉取りローラ（２５）を摩擦帯電させる帯電部（２９Ａ）と、紙粉取りローラ（２５）を接地側に電気的に接続する除電状態と紙粉取りローラ（２５）を接地側に電気的に接続しない帯電状態とを切り替える切替部（３１）とを備えることを特徴とする。
【０００８】
これにより、本発明では、紙粉取りローラ（２５）に必要以上の電荷が帯電してしまうことを抑制でき得る。したがって、紙粉取り能力が低下することを抑制しつつ、紙粉取りローラ（２５）からの放電を抑制でき得る。
【０００９】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１０】
【図１】本発明の実施形態に係る画像形成装置１の中央断面図である。
【図２】シート搬送装置２３の拡大図である。
【図３】搬送ユニットの側面図である。
【図４】（ａ）は帯電状態を示す切替部３１の図である。（ｂ）は除電状態を示す切替部３１の図である。
【図５】切替部３１の拡大図である。
【図６】（ａ）は帯電状態を示す切替部３１の図である。（ｂ）は除電状態を示す切替部３１の図である。
【発明を実施するための形態】
【００１１】
以下に説明する「発明の実施形態」は実施形態の一例を示すものである。つまり、特許請求の範囲に記載された発明特定事項等は、下記の実施形態に示された具体的手段や構造等に限定されるものではない。
【００１２】
本実施形態は、画像形成装置に本発明に係るシート搬送装置を適用したものである。各図に付された方向を示す矢印等は、各図相互の関係を理解し易くするために記載したものである。本発明は、各図に付された方向に限定されるものではない。
【００１３】
少なくとも符号を付して説明した部材又は部位は、「複数」や「２つ以上」等の断りをした場合を除き、少なくとも１つ設けられている。以下、本発明の実施形態を図面と共に説明する。
【００１４】
１．画像形成装置の概要
画像形成装置１の筐体３内には、図１に示すように、用紙等のシートに画像を形成する電子写真方式の画像形成部５が収納されている。画像形成部５は、現像カートリッジ７、感光ドラム８、帯電器８Ａ、露光器９及び定着器１１等を有している。
【００１５】
複数の現像カートリッジ７それぞれには現像剤が収納されている。各現像カートリッジ７に収納されている現像剤は、現像カートリッジ７の配列方向一端側（本実施形態では前方側）から配列方向他端側（本実施形態では後方側）に向けて順に、イエロー、マゼンタ、シアン、ブラックである。
【００１６】
感光ドラム８及び帯電器８Ａも各現像カートリッジ７に対応して複数設けられている。各感光ドラム８は現像剤像を担持する。各帯電器８Ａは対応する感光ドラム８を帯電させる。露光器９は、帯電した各感光ドラム８を露光する。
【００１７】
露光された各感光ドラム８には静電潜像が形成される。静電潜像が形成された各感光ドラム８に現像剤が供給されることにより、各感光ドラム８の外周面に静電潜像に対応した現像剤像が担持される。
【００１８】
ベルト１３は、帯状の無端ベルトであって、配列方向一端側から他端側に向けてシートを搬送する。ベルト１３を挟んで各感光ドラム８と対向する位置には、転写体１４が配設されている。各転写体１４には転写電圧が印加されている。このため、各感光ドラム８に担持されている現像剤像はシートに重畳転写される。
【００１９】
定着器１１は、シートに転写された現像剤を加圧しながら加熱することより、現像剤像をシートに定着させる。画像が形成されたシートは、排紙ローラ３Ａ等によって筐体３の上に設けられた排紙トレイ３Ｂに積載される。
【００２０】
ベルト１３よりシート搬送方向上流側には、第１フィーダ機構１９及び第２フィーダ機構２１が設けられている。第１フィーダ機構１９は、給紙トレイ１７に載置されているシートを１枚ずつ画像形成部５側に向けて給送する。
【００２１】
給紙トレイ１７は複数のシートが載置可能な載置部であって、装置本体に着脱自在に装着されている。装置本体とは、例えば後述する一対のメインフレーム１５Ａ等の通常使用時において、利用者により分解・取り外しされない部位をいう。
【００２２】
第１フィーダ機構１９は、図２に示すように、ピックアップローラ１９Ａ、分離ローラ１９Ｂ及び分離パッド１９Ｃ等を有している。ピックアップローラ１９Ａは、給紙トレイ１７に載置されているシートに接触して当該シートを分離ローラ１９Ｂ側に送り出す。
【００２３】
分離ローラ１９Ｂは、シートに接触して回転することにより当該シートに搬送力を付与する。分離パッド１９Ｃは、分離ローラ１９Ｂと対向する位置に配設されてシートに搬送抵抗を付与する。これにより、ピックアップローラ１９Ａから複数のシートが送り出された場合には、それらシートは、１枚ずつ分離されて画像形成部５側に搬送される。
【００２４】
第１フィーダ機構１９のピックアップローラ１９Ａ及び分離ローラ１９Ｂは、給紙フレーム１５Ｂに設けられている。給紙フレーム１５Ｂは、図３に示すように、一対のメインフレーム１５Ａ間を渡すように延びる梁状の部材である。
【００２５】
給紙フレーム１５Ｂは、その長手方向両端がネジ等の機械的締結部（図示せず。）により各メインフレーム１５Ａに固定されている。図２に示すように、第１フィーダ機構１９の分離パッド１９Ｃは、給紙トレイ１７に組み付けられている。
【００２６】
第２フィーダ機構２１は、多目的給紙トレイ（図示せず。）に載置されているシートを１枚ずつ画像形成部５側に向けて送出する。多目的給紙トレイは、複数枚のシートが載置可能な載置部であって、筐体３のうち画像形成部５の前面側に設けられたカバー３Ｃ（図１参照）に設けられている。
【００２７】
第２フィーダ機構２１は、第１フィーダ機構１９と同様な構成であって、ピックアップローラ２１Ａ、分離ローラ２１Ｂ及び分離パッド２１Ｃ等を有している。ピックアップローラ２１Ａは、多目的給紙トレイに載置されているシートに接触して当該シートを分離ローラ２１Ｂ側に送り出す。
【００２８】
分離ローラ２１Ｂは、シートに接触して回転することにより当該シートに搬送力を付与する。分離パッド２１Ｃは、分離ローラ２１Ｂと対向する位置に配設されてシートに搬送抵抗を付与する。これにより、ピックアップローラ２１Ａから複数のシートが送り出された場合には、それらシートは、１枚ずつ分離されて画像形成部５側に搬送される。
【００２９】
２．シート搬送装置
２．１  シート搬送装置の概要
画像形成部５よりシート搬送方向上流側には、図２に示すように、シート搬送装置２３が設けられている。シート搬送装置２３は、第１フィーダ機構１９又は第２フィーダ機構２１から送出されてきたシートを画像形成部５に搬送する。
【００３０】
シート搬送装置２３は、シートに接触して回転する第１ローラ２５及び第２ローラ２７等を有している。第１ローラ２５は、第２ローラ２７と対向する位置に配設され、かつ、搬送されるシートを第２ローラ２７と共に挟持しながら回転する。
【００３１】
第２ローラ２７及び第１ローラ２５には駆動力が付与されている。そして、第１ローラ２５及び第２ローラ２７は互いに連動して回転及び停止することにより、以下のレジストレーション機能を発揮する。
【００３２】
すなわち、第１ローラ２５及び第２ローラ２７は、回転を停止して搬送されてきたシートの搬送を一時停止させた後、回転を開始してシートを搬送する。このため、第２ローラ２７をレジローラともいう。第１ローラ２５をレジピンチローラともいう。
【００３３】
換言すれば、第１ローラ２５及び第２ローラ２７は、第１フィーダ機構１９又は第２フィーダ機構２１から送出されてきたシートに回転を停止した状態で接触してシートの搬送を一時的に停止させる。
【００３４】
その後、第１ローラ２５及び第２ローラ２７は、回転を再開してシートの搬送を再開する。これにより、当該シートは、その前端が搬送方向と直交するように姿勢が矯正された後、予め設定されたタイミングで画像形成部５に突入する。
【００３５】
なお、本実施形態では、第１ローラ２５及び第２ローラ２７の回転及び停止制御は、電動モータ（図示せず。）を制御するのではなく、断続器（図示せず。）を制御することにより行っている。
【００３６】
電動モータは、ピックアップローラ１９Ａ等の他のローラにも駆動力を付与する。当該電動モータは、第１ローラ２５及び第２ローラ２７の回転・停止に関わらず連続的に回転している。断続器は、電動モータで発生した駆動力を第１ローラ２５及び第２ローラ２７に断続可能に伝達する電磁クラッチ等である。
【００３７】
シート搬送装置２３には紙粉除去部２９が設けられている。紙粉除去部２９はシートに付着している紙粉を除去する。紙粉除去部２９は、少なくとも第１ローラ２５及び帯電部２９Ａ等を有している。
【００３８】
第１ローラ２５のうちシートに接触する外周面は、金属等の導電材料にて構成されている。本実施形態に係る第１ローラ２５は鉄系金属製である。因みに、第２ローラ２７のうちシートに接触する外周面は、ゴム等の第１ローラ２５よりも摩擦係数が大きい材質にて構成されている。
【００３９】
帯電部２９Ａは、第１ローラ２５の外周面と滑り接触（以下、摺接ともいう。）する。帯電部２９Ａは、鉄系金属に対して帯電列がプラス側であるナイロン等の材質で構成されている。このため、第１ローラ２５が回転して帯電部２９Ａと第１ローラ２５の外周面とが摺接すると、第１ローラ２５が負極性に摩擦帯電する。本実施形態に係る帯電部２９Ａは、除電状態及び帯電状態を問わず、常に紙粉取りローラ２５に接触している。
【００４０】
これにより、第１ローラ２５には静電気による吸引力が発生するので、シートに付着している紙粉は帯電した第１ローラ２５に吸着される。つまり、第１ローラ２５は紙粉取りローラとして機能する。第１ローラ２５（以下、紙粉取りローラ２５という。）に吸着された紙粉は、帯電部２９Ａにより掻き落とされた後、オーガ２９Ｂにより図示しない紙粉貯留部に移送される。
【００４１】
図３に示すように、紙粉取りローラ２５の長手方向一端側（図３の左側）には切替部３１が設けられている。切替部３１は紙粉取りローラ２５の状態を除電状態とする場合と帯電状態とする場合とに切り替える。
【００４２】
帯電状態では紙粉取りローラ２５は接地側に電気的に接続されない。接地側とは画像形成装置１の基準電位となる部位であって、メインフレーム１５Ａの金属部等である。このため、帯電状態では、紙粉取りローラ２５が帯電した状態が維持されるので、紙粉を吸着する吸引力が維持される。除電状態では紙粉取りローラ２５は接地側に電気的に接続される。このため、紙粉取りローラ２５に発生した電荷は除電される。
【００４３】
そして、切替部３１は、紙粉取りローラ２５とシートとが接触し、かつ、紙粉取りローラ２５が回転している場合に帯電状態とする。切替部３１は、紙粉取りローラ２５の回転が停止している場合に除電状態とする。
【００４４】
すなわち、少なくとも紙粉取りローラ２５によりシートが搬送されているときには、紙粉取りローラ２５は帯電状態となる。紙粉取りローラ２５によるシートの搬送が停止しているときには、紙粉取りローラ２５は除電状態となる。
【００４５】
２．２  切替部の構成及び作動
本実施形態に係る切替部３１は、図４（ａ）及び図４（ｂ）に示すように、紙粉取りローラ２５の回転に伴って発生する力を利用して可動接点３３を固定接点３５に対して離接変位させることにより、帯電状態と除電状態とを切り替える。
【００４６】
固定接点３５は接地側に電気的に接続されている。可動接点３３は、固定接点３５に対して離接変位であって、紙粉取りローラ２５の外周面に電気的に接続されている。そして、除電状態では、図４（ｂ）に示すように可動接点３３と固定接点３５とが接触する。帯電状態では、図４（ａ）に示すように可動接点３３が固定接点３５から離間する。
【００４７】
変位機構３７は、可動接点３３を変位させる機構であって、アクチュエータ３７Ａを有する。アクチュエータ３７Ａは、紙粉取りローラ２５の回転に伴って発生する力を受けて可動接点３３を変位させる。
【００４８】
アクチュエータ３７Ａは、図５に示すように、可動部材３７Ｂ、接触部３７Ｃ、第１バネ３７Ｄ及び第２バネ３７Ｅ等を有している。可動部材３７Ｂは可動接点３３が設けられた変位可能な部材である。
【００４９】
可動部材３７Ｂは、紙粉取りローラ２５の軸中心線Ｌ１周りに回転可能な環状のリング部３７Ｆ、及びリング部３７Ｆから軸中心線Ｌ１と直交する方向に延びるアーム部３７Ｇ等を有している。アーム部３７Ｇの先端側には可動接点３３が設けられている。そして、アーム部３７Ｇとリング部３７Ｆとは金属等の導電材料にて一体形成されている。
【００５０】
リング部３７Ｆは小径軸２５Ａに嵌め込まれて軸中心線Ｌ１周りに回転可能となっている。小径軸２５Ａは、紙粉取りローラ２５の軸端に設けられた軸部であって、軸中心線Ｌ１と一致する軸中心線を有する。
【００５１】
接触部３７Ｃは紙粉取りローラ２５と滑り接触する。接触部３７Ｃと紙粉取りローラ２５とが滑り接触する際に発生する摩擦力は、可動接点３３を固定接点３５から離間させる向きの力を可動部材３７Ｂに作用させる。
【００５２】
すなわち、接触部３７Ｃはリング部３７Ｆの側面に設けられている。第２バネ３７Ｅは、リング部３１Ｂ、つまり接触部３７Ｃを紙粉取りローラ２５の軸線方向端面２５Ｂに押し付けるコイルバネである。第２バネ３７の円筒部は紙粉取りローラ２５の軸中心線周りに配置されている。なお、第２バネ３７Ｅは第１バネ３７Ｄと一体化されている。
【００５３】
このため、紙粉取りローラ２５が回転すると、接触部３７Ｃと軸線方向端面２５Ｂとが滑り接触するので、リング部３７Ｆを紙粉取りローラ２５の回転の向きと同一の向きに回転させる摩擦力が接触部３７Ｃに発生する。紙粉取りローラ２５の回転の向きは、図６（ａ）に示すように、可動接点３３を固定接点３５から離間させるように可動部材３７Ｂを変位させる向きである。
【００５４】
第１バネ３７Ｄは、可動接点３３と固定接点とが接触する向きに可動部材３７Ｂを変位させる弾性力を発揮するねじりコイルバネである。このため、紙粉取りローラ２５の回転が停止しているときには、図６（ｂ）に示すように、可動接点３３と固定接点３５とが接触した状態となる。つまり、紙粉取りローラ２５の回転が停止しているときには、紙粉取りローラ２５は除電状態となる。
【００５５】
紙粉取りローラ２５が回転すると、接触部３７Ｃと軸線方向端面２５Ｂとの接触面で発生する摩擦力により、図６（ａ）に示すように、可動部材３７Ｂは可動接点３３を固定接点３５から離間させる向きに変位する。
【００５６】
紙粉取りローラ２５を覆うカバー２５Ｃには、可動部材３７Ｂが衝突することにより、可動部材３７Ｂの変位を規制するストッパ部２５Ｄが設けられている。なお、可動部材３７Ｂがストッパ部２５Ｄに接触した状態では、接触部３７Ｃは軸線方向端面２５Ｂに対して滑り接触する。
【００５７】
ところで、紙粉取りローラ２５が回転している場合であっても、シートが紙粉取りローラ２５に接触していない場合がある。しかし、シートが紙粉取りローラ２５に接触して紙粉取りローラ２５が回転しているとき、つまり紙粉取りローラ２５によりシートが搬送されているときには、紙粉取りローラ２５は必ず帯電状態となる。
【００５８】
したがって、少なくとも紙粉取りローラ２５によりシートが搬送されているときには、紙粉取りローラ２５は帯電状態となるので、その搬送しているシートに付着している紙粉が紙粉取りローラ２５に吸着される。
【００５９】
そして、紙粉取りローラ２５の回転が停止して紙粉取りローラ２５によるシートの搬送が停止すると、上記摩擦力が消失するので、図６（ｂ）に示すように、可動部材３７Ｂは第１バネ３７Ｄの弾性力により固定接点３５側に変位する。これにより、可動接点３３と固定接点３５とが接触して除電状態となる。
【００６０】
３．本実施形態に係る画像形成装置の特徴
本実施形態では、紙粉取りローラ２５を接地側に電気的に接続する除電状態と紙粉取りローラ２５を接地側に電気的に接続しない帯電状態とを切り替える切替部３１を備えることを特徴としている。
【００６１】
これにより、本実施形態では、紙粉取りローラ２５に必要以上の電荷が帯電してしまうことを抑制でき得る。したがって、紙粉取り能力が低下することを抑制しつつ、紙粉取りローラ２５からの放電を抑制でき得る。
【００６２】
切替部３１は、少なくとも、紙粉取りローラ２５とシートとが接触した状態で紙粉取りローラ２５が回転している場合に帯電状態とすることを特徴としている。これにより、シートを搬送するときに帯電状態となるので、紙粉取りローラ２５は、シートに付着した紙粉を確実に静電吸引できる。
【００６３】
切替部３１は、少なくとも紙粉取りローラ２５の回転が停止している場合に除電状態とすることを特徴としている。これにより、シートを搬送していないときに除電状態となるので、紙粉取りローラ２５からの放電を抑制できる。
【００６４】
本実施形態に係る紙粉取りローラ２５はレジストレーション機能も有するので、搬送されるシートから紙粉を除去しながら、シートを良好に搬送できる。
（その他の実施形態）
上述の実施形態では、可動接点３３が紙粉取りローラ２５に電気的に接続され、かつ、固定接点３５が接地側に電気的に接続されていたが、本発明はこれに限定されるものではなく、固定接点３５が紙粉取りローラ２５に電気的に接続され、かつ、可動接点３３が接地側に電気的に接続されていてもよい。
【００６５】
上述の実施形態に係る切替部３１は、紙粉取りローラ２５の回転に伴って発生する力を利用して帯電状態と除電状態とを切り替えたが、本発明はこれに限定されるものではない。
【００６６】
すなわち、例えば、（１）紙粉取りローラ２５の回転及び停止を制御する制御部（図示せず。）からの指令信号を受けて稼働する電気式のアクチュエータにより帯電状態と除電状態とを切り替える、又は（２）紙粉取りローラ２５から接地側に至る電気回路を開閉する半導体スイッチを設け、当該半導体スイッチを上記制御部により開閉制御してもよい。
【００６７】
上述の実施形態では、接触部３７Ｃと紙粉取りローラ２５との接触面で発生する摩擦力を利用して可動部材３７Ｂを変位させたが、本発明はこれに限定されるものではなく、例えば、自動遠心クラッチのごとく、遠心力を利用して可動接点３３を固定接点３５に対して離接変位させてもよい。
【００６８】
上述の実施形態では、固定接点３５から接地側に至る電気回路に電気素子が設けられていなかったが、本発明はこれに限定されるものではなく、電気抵抗やコンデンサ等の電気素子を当該電気回路に設けてもよい。なお、電気抵抗やコンデンサを設けることで、除電時に過度な電流が流れることを抑制できる。
【００６９】
上述の実施形態に係る紙粉取りローラ２５はレジストレーション機能を有していたが、本発明はこれに限定されるものではなく、紙粉取りローラ２５を紙粉取り専用のローラとしてもよい。
【００７０】
上述の実施形態では、第１バネ３７Ｄと第２バネ３７Ｅとが一体化されていたが、本発明はこれに限定されるものではなく、第１バネ３７Ｄと第２バネ３７Ｅとを独立して設けてよい。
【００７１】
上述の実施形態では、電子写真方式の画像形成装置に本発明を適用したが、本発明はこれに限定されるものではなく、例えば、インクジェット方式の画像形成装置やオートドキュメントフィーダ等にも適用できる。
【００７２】
上述の実施形態では、帯電部２９Ａは、除電状態及び帯電状態を問わず、常に、紙粉取りローラ２５に接触していたが、本発明はこれに限定されるものではなく、例えば、帯電状態のときのみ帯電部２９Ａと紙粉取りローラ２５とが接触する構成としてもよい。つまり、可動部材３７Ｂの作動に連動して帯電部２９Ａを紙粉取りローラ２５に対して離接変位させてもよい。
【００７３】
また、本発明は、特許請求の範囲に記載された発明の趣旨に合致するものであればよく、上述の実施形態に限定されるものではない。
【符号の説明】
【００７４】
１… 画像形成装置  ３… 筐体  ３Ｂ… 排紙トレイ  ３Ｃ… カバー
５… 画像形成部  ７… 現像カートリッジ  ８… 感光ドラム  ８Ａ… 帯電器
９… 露光器  １１… 定着器  １３… ベルト  １４… 転写体
１５Ａ… メインフレーム  １５Ｂ… 給紙フレーム  １７… 給紙トレイ
１９… 第１フィーダ機構  ２１… 第２フィーダ機構  ２３… シート搬送装置
２５… 紙粉取りローラ（第１ローラ）  ２５Ａ… 小径軸
２５Ｂ… 軸線方向端面  ２５Ｃ… カバー  ２５Ｄ… ストッパ部
２７… 第２ローラ  ２９… 紙粉除去部  ２９Ａ… 帯電部  ２９Ｂ…オーガ
３１… 切替部  ３１Ｂ… リング部  ３３… 可動接点  ３５… 固定接点
３７… 変位機構  ３７Ａ… アクチュエータ  ３７Ｂ… 可動部材
３７Ｃ… 接触部  ３７Ｄ… 第１バネ  ３７Ｅ… 第２バネ
【図１】
2015044640.tif 000003
【図２】
2015044640.tif 000004
【図３】
2015044640.tif 000005
【図４】
2015044640.tif 000006
【図５】
2015044640.tif 000007
【図６】
2015044640.tif 000008